(57)【要約】【課題】使用者の体格に応じた締付調整を行うことができ、長時間に渡って着用しても、使用者の腹部を過度に圧迫して腰の筋肉への血行不良を招くことがない腰部保護ズボンを提供する。【解決手段】本発明の腰部保護ズボン１は、ウエスト部２の周囲の一部に配置して固定され、ウエスト部２を締め付けて使用者の腹圧を高め、締付部位を調整する複数のベルト７を備える。前記複数のベルト７は、ウエスト部２の左右両横に固定された一対の上段サイドベルト７ａと下段サイドベルト７ｂとからなるのが好ましい。さらに、前記複数のベルト７で締め付けられたウエスト部２を使用者の動作に対応して伸縮する伸縮部６ａをさらに備えるのが好ましい。【選択図】図１
2008081864.tif 000002
【特許請求の範囲】
【請求項１】
ウエスト部の周囲の一部に縦方向に配置して固定され、ウエスト部を締め付けて使用者の腹圧を高め、締付部位を調整する複数のベルトを備えることを特徴とする、腰部保護ズボン。
【請求項２】
前記複数のベルトは、ウエスト部の左右両横に固定された一対の上段サイドベルトと下段サイドベルトとからなることを特徴とする、請求項１記載の腰部保護ズボン。
【請求項３】
前記複数のベルトは、ウエスト部の左右両横に固定された一対の上段サイドベルトと中段サイドベルトと下段サイドベルトとからなることを特徴とする、請求項１記載の腰部保護ズボン。
【請求項４】
前記複数のベルトは、それぞれ、締付用リングとベルト本体とからなることを特徴とする、請求項１記載の腰部保護ズボン。
【請求項５】
前記複数のベルトは、それぞれ、ウエスト部の背側に固定された締付用リングと、一端がウエスト部の腹側に固定され、前記締付用リングに挿通してウエスト部の腹側に引き寄せてウエスト部を締め付けるベルト本体とからなることを特徴とする、請求項１記載の腰部保護ズボン。
【請求項６】
前記複数のベルトで締め付けられたウエスト部を使用者の動作に対応して伸縮する伸縮部をさらに備えることを特徴とする、請求項１から５のいずれかに記載の腰部保護ズボン。
【請求項７】
前記伸縮部は、ウエスト部の腹側中央から左右に一定の間隔を空けて左右対称に配置されていることを特徴とする、請求項６に記載の腰部保護ズボン。
【請求項８】
前記複数のベルトの内側に第２の伸縮部をさらに備えることを特徴とする請求項１から７のいずれかに記載の腰部保護ズボン。
【発明の詳細な説明】
【技術分野】
【０００１】
本発明は、腰部保護ズボンに関する。
【背景技術】
【０００２】
近年、日本人が抱えている健康問題の一つとして、腰痛が挙げられており、医学の発展がめざましいにもかかわらず、腰痛に悩む人は、年々増加する傾向にある。特に、介護医療の現場では、介護福祉士等は、介護が必要な高齢者を抱え上げて移動したり、ベッド又は車椅子へ移乗させたりすることが多く、腰痛を引き起こしやすい労働環境に置かれている。このため、介護福祉士等にとっては、労働現場での腰痛予防・緩和対策を講ずることが非常に重要となっている。そこで、介護福祉士等の中には、腰に装着した腰痛ベルトで腹圧を適度に高めて腰を保護しながら、高齢者の介護を行う者がいる。
【０００３】
しかし、前記のような腰痛ベルトでは、身体の動きによってベルトの取着位置がずれて、腰痛の予防・緩和を実現するというベルト本来の機能を果たすことができない。このため、腰痛ベルト等の腰痛保護手段を衣服と一体化して取着位置のずれを防止し、腰痛の予防・緩和の実現を図ったものがある。
【０００４】
例えば、特許文献１には、腰痛防止用の腰痛ベルトを衣服の腰部裏側に取着した腰痛ベルト装着衣服が開示されている。
【０００５】
また、同様に、特許文献２には、以下のように構成された腰用保護具付きスポーツ用衣服が開示されている。前記腰用保護具付きスポーツ用衣服は、衣服本体の腰部の腰後内側の左右に布片で包んで縫着した少なくとも一対の保護具に、二股状になった帯体の一端を取着し、帯体の他端を縦切断孔から腰後外側に出して、帯体の他端に取着された貼着部材と腰後外側に取着された貼着部材とで、帯体が腰後外側に着脱自在に貼着されるように構成されている。
【特許文献１】特開２００２−２０９０８号公報
【特許文献２】特許３３４１２０４号公報
【０００６】
しかしながら、前記腰痛ベルト装着衣服又は腰用保護具付きスポーツ用衣服では、腰痛ベルト又は保護具が一つしか設けられていないため、使用者の体格に応じた締付調整を行うことができず、腰痛の予防・緩和に必要な腹圧を適切に高めることができないという問題がある。
【０００７】
また、前記腰痛ベルト装着衣服又は腰用保護具付きスポーツ用衣服を着用し続けた場合、腰痛ベルト又は保護具の締め付けが使用者の腹部を長時間に渡って圧迫する可能性がある。特に、介護福祉士等は、高齢者の介護時において、しゃがみ込んだり、前屈みになったりすること等が多いにもかかわらず、前記腰痛ベルト装着衣服又は腰用保護具付きスポーツ用衣服では、腰痛ベルト又は保護具の締め付けがしゃがみ込みや前屈み等の動作に対応して緩むように構成されていない。このため、腰痛ベルト又は保護具が介護福祉士等の腹部を過度に圧迫して腰の筋肉への血行不良を招き、かえって腰痛の一因になるという問題がある。
【発明の開示】
【発明が解決しようとする課題】
【０００８】
したがって、本発明は、使用者の体格に応じた締付調整を行うことができる腰部保護ズボンを提供することを課題とする。
【０００９】
また、本発明は、長時間に渡って着用しても、使用者の腹部を過度に圧迫して腰の筋肉への血行不良を招くことがない腰部保護ズボンを提供することも課題とする。
【課題を解決するための手段】
【００１０】
前記課題を解決するための手段として、本発明の腰部保護ズボンは、ウエスト部の周囲の一部に縦方向に配置して固定され、ウエスト部を締め付けて使用者の腹圧を高め、締付部位を調整する複数のベルトを備える。
【００１１】
前記複数のベルトは、ウエスト部の左右両横に固定された一対の上段サイドベルトと下段サイドベルトとからなるのが好ましい。
【００１２】
前記複数のベルトは、ウエスト部の左右両横に固定された一対の上段サイドベルトと中段サイドベルトと下段サイドベルトとからなるのが好ましい。
【００１３】
前記複数のベルトは、それぞれ、締付用リングとベルト本体とからなるのが好ましい。
【００１４】
前記複数のベルトは、それぞれ、ウエスト部の背側に固定された締付用リングと、一端がウエスト部の腹側に固定され、前記締付用リングに挿通してウエスト部の腹側に引き寄せてウエスト部を締め付けるベルト本体とからなるが好ましい。
【００１５】
本発明は、前記複数のベルトで締め付けられたウエスト部を使用者の動作に対応して伸縮する伸縮部をさらに備えるのが好ましい。
【００１６】
前記伸縮部は、ウエスト部の腹側中央から左右に一定の間隔を空けて左右対称に配置されているのが好ましい。
【００１７】
前記複数のベルトの内側に第２の伸縮部をさらに備えることが好ましい。
【発明の効果】
【００１８】
本発明によれば、以下のような点を簡便に実行することができる。
【００１９】
ウエスト部を締め付けるベルトが腰部保護ズボンに一体化されているので、ベルトの締付位置がずれるようなことがなく、締付部位を確実に保護することができる。
【００２０】
また、腰部を締め付ける際には、ベルトを複数使用して使用者の体格に応じた締付調整を行うことができるので、腰痛の予防・緩和に必要な腹圧を適切に高めることができる。
【００２１】
伸縮部は、しゃがみ込みや前屈み等の使用者の動作に対応して伸縮するため、ベルトが使用者の腹部を過度に圧迫することがない。これにより、長時間に渡って使用しても、腰痛の一因となる血行不良を引き起こすことがなく、腰痛の予防・緩和を確実に実現することができる。
【００２２】
さらに、第２の伸縮部が設けられている場合には、ベルトでウエスト部を締め付けなくても、伸縮部と第２の伸縮部の締付力を利用すれば本発明の腰部保護ズボンを着用することができるので、腰部を保護する必要がある時にのみ、ベルトを使用すればよく、不必要なウエスト部の締め付けを回避することができる。
【発明を実施するための最良の形態】
【００２３】
本発明の実施形態を添付の図面に従って説明する。
【００２４】
図１の（ａ）は、本発明の実施形態に係る腰部保護ズボンの上方部分を示した正面図であり、（ｂ）は、前記腰部保護ズボンの上方部分を示した側面図である。腰部保護ズボン１の上端には、ウエスト部２が形成されている。
【００２５】
腰部保護ズボン１は、図２に示したように、内側に樹脂製のメッシュ材を縫着した矩形状のパッド部３を備える。パッド部３は、前記ウエスト部２の背側に設けられている。腰部保護ズボン１は、ズボンの上部中央を開閉する係止部４とファスナー部５とを備える。係止部４は、雌雄の係止部材４ａ，４ｂからなり、ウエスト部２の腹側中央に設けられ、ファスナー部５は、前記係止部４の下側に設けられている。腰部保護ズボン１は、一対のフロント伸縮部６ａと一対のサイド伸縮部６ｂとを備える。フロント伸縮部６ａとサイド伸縮部６ｂは、図４及び図５に示したように、ひだ（シャーリング）を設けた長皮の内部にゴム部材６ａ１、６ｂ１を収容したものである。フロント伸縮部６ａは、サイド伸縮部６ｂよりも縦方向の長さを長くし、かつ、横方向の幅を短くして、その締付力をサイド伸縮部６ｂよりも強く構成している。フロント伸縮部６ａは、前記係止部４が設けられたウエスト部２の腹側中央から左右に一定の間隔を空けて左右対称に配置されている。サイド伸縮部６ｂは、フロント伸縮部６ａとパッド部３との間に、下記ベルト部７の内側に位置するように左右対称に配置されている。フロント伸縮部６ａの縦方向の長さは、ウエスト部２の全長に渡って設けてもよいし、ウエスト部２の上半分にのみ設けてもよい。
【００２６】
腰部保護ズボン１は、ベルト部７を備える。ベルト部７は、一対の上段サイドベルト７ａと下段サイドベルト７ｂとからなる。一対の上段サイドベルト７ａと下段サイドベルト７ｂは、フロント伸縮部６ａと前記パッド部３との間に位置するウエスト部２の表側の左右両横に取り付けられており、上下に一定の間隔を空けて配置されている。一対の上段サイドベルト７ａと下段サイドベルト７ｂは、それぞれ、ベルト本体７ｃ，７ｄと矩形の締付用リング７ｅ，７ｆとを備える。
【００２７】
各サイドベルト７ａ，７ｂのベルト本体７ｃ，７ｄは、図２に示したように、それぞれ帯状で、長手方向の一端がフロント伸縮部６ａの外側に縫着され、ウエスト部２の周囲の一部に取り付けられている。各ベルト本体７ｃ，７ｄは、表面側の長手方向の他端に取り付けられた雄の面ファスナー部７ｇ，７ｈと、この面ファスナー部７ｇ，７ｈから一端側に向かって形成された雌の面ファスナー部７ｉ，７ｊとを備える。各サイドベルト７ａ，７ｂの締付用リング７ｅ，７ｆは、連結片７ｋ，７ｌを介して前記パッド部３の両端に連結されている。各ベルト本体７ｃ，７ｄの長手方向の他端は、締付用リング７ｅ，７ｆに挿通され、裏面側に折り返し縫製され、それらの他端の雄の面ファスナー部７ｇ，７ｈが、雌の面ファスナー部７ｉ，７ｊに固定されている。
【００２８】
使用者が前記腰部保護ズボン１を使用する場合、腰部を保護する必要がない時には、係止部４とファスナー部５でズボン１の上部中央を閉めて腰部保護ズボン１を着用するだけでよい。
【００２９】
上段サイドベルト７ａと下段サイドベルト７ｂは、腰部を保護する必要がある時にのみ使用すればよく、その場合は、以下の手順に従って、上段サイドベルト７ａと下段サイドベルト７ｂで使用者の腰周りを締め付けて使用者の腹圧を高める。まず、上段サイドベルト７ａと下段サイドベルト７ｂの各ベルト本体７ｃ，７ｄの雄の面ファスナー部７ｇ，７ｈを雌の面ファスナー部７ｉ，７ｊから外して、ウエスト部２の腹側に引き寄せ、使用者の腰周りに合わせて上段サイドベルト７ａと下段サイドベルト７ｂの締め付けを調整し、各ベルト本体７ｃ，７ｄを雌雄の面ファスナー７ｇ〜７ｊで固定する。例えば、腰の上部を締め付ける必要がある場合は、上段サイドベルト７ａを下段サイドベルト７ｂよりも強く締め付ける。このように、上段サイドベルト７ａ及び下段サイドベルト７ｂによって、締付部位の締め付けを使用者の腰周りに合わせて適切に調整することが可能である。また、上段サイドベルト７ａ及び下段サイドベルト７ｂは、腰部保護ズボン１のウエスト部２に一体化されているため、締付位置からずれて使用者の腰部を締め付けることがない。これにより、腰痛の予防・緩和に必要な腹圧が適切に高まり、使用者の腰椎を確実に保護することができる。
【００３０】
また、本発明の腰部保護ズボン１を着用した使用者が、介護等の作業において、しゃがみ込んだり、立ち上がったりすると、フロント伸縮部６ａに収容されたゴム部材６ａ１がその動作に対応して伸縮し、ベルト部７の締め付けが使用者の腹部を圧迫することがない。このため、雌雄の面ファスナー７ｇ〜７ｊを分離してベルト部７の締め付けを解除しなくても、使用者は本発明の腰部保護ズボン１を長時間に渡って着用することができ、腹部の過度な圧迫による腰の筋肉の血行不良を招くことがない。
【００３１】
本発明の腰部保護ズボン１のベルト部７は、ウエスト部２の表側に設けられているので、腰痛の予防・緩和を簡便に実行することができ、また、ベルト部７の締め付けを行った後でも、必要に応じて、その締付調整を行うことができる。
【００３２】
なお、上記の腰部保護ズボン１では、一対の上段サイドベルト７ａ及び下段サイドベルト７ｂをウエスト部２の左右両横に設けて、使用者のウエスト部２を締め付けるように構成しているが、かかる構成に限定されるものではない。例えば、図６に示すように、ウエスト部２の左右両横に、一対のサイドベルト７ａを一組だけ設けたり、又は、図７に示すように、一対の上段サイドベルト７ａ、中段サイドベルト７ｏ、及び下段サイドベルト７ｂを３組設けたりして、ベルト部７を構成してもよい。また、腰部保護ズボン１のベルト部７の構成は、ウエスト部２の左右両横に設けられた一対のサイドベルトに限定されず、ウエスト部２の前方にフロントベルトを設けて使用者の腹圧を高めるように構成してもよく、この場合には、伸縮部をウエスト部２の左右両側に設け、使用者の腹部を過度に圧迫することがないように構成してもよい。
【図面の簡単な説明】
【００３３】
【図１】（ａ）は、本発明の実施形態に係る腰部保護ズボンの上方部分を示した正面図であり、（ｂ）は、前記腰部保護ズボンの上方部分を示した側面図である。
【図２】（ａ）は、図１に示したウエスト部表側の展開図であり、（ｂ）は、各サイドベルトを締付用リングに挿通した状態のウエスト部表側の展開図であり、（ｃ）は、ウエスト部内側の展開図である。
【図３】図１に示したウエスト部の平面図である。
【図４】図２のＩＶ−ＩＶ線断面図である。
【図５】図２のＶ−Ｖ線断面図である。
【図６】図１の腰部保護ズボンの変形例を示す正面図である。
【図７】図１の腰部保護ズボンの変形例を示す正面図である。
【符号の説明】
【００３４】
１  腰部保護ズボン
２  ウエスト部
３  パッド部
４  係止部
５  ファスナー部
６  伸縮部
７  ベルト部
７ａ  上段サイドベルト
７ｂ  下段サイドベルト
７ｃ，７ｄ  ベルト本体
７ｅ，７ｆ  締付用リング
７ｇ，７ｈ  雄の面ファスナー部
７ｉ，７ｊ  雌の面ファスナー部
７ｋ，７ｌ  連結片
７ｏ  中段サイドベルト
【図１】
2008081864.tif 000003
【図２】
2008081864.tif 000004
【図３】
2008081864.tif 000005
【図４】
2008081864.tif 000006
【図５】
2008081864.tif 000007
【図６】
2008081864.tif 000008
【図７】
2008081864.tif 000009